(57)【要約】【課題】 上部遮蔽調節面と下部遮蔽調節面の間に高さ位置の調節並びに開き量の調節が細かに行える眺望遮蔽調節面を備えるブラインドを得る。【解決手段】 上部固定竿との間で独立の分離竿移動装置に移動調節可能に保持される分離竿の下部に該分離竿との間で独立の遮蔽竿移動装置に保持され上部遮蔽調節面と下部遮蔽調節面の間に開き量の調節可能な遮蔽竿を設ける。【選択図】 図１
2005350851.tif 000002
【特許請求の範囲】
【請求項１】
上部固定竿（４，４ａ）の下部に分離竿（５，５ａ）を設け該分離竿（５，５ａ）を前記上部固定竿（４，４ａ）あるいは該分離竿（５，５ａ）自体のいずれか一方の側に設けられその一対の分離竿保持紐（９，９ａ）を前記一方の側よりこれと相対する側の竿に向かって伸長されてその紐端を結合された分離竿移動装置（８，８ａ）により所望の間隔に調節可能に保持せしめると共に前記上部固定竿（４，４ａ）に上部羽操作装置（１１，１１ａ）を設け該上部羽操作装置（１１，１１ａ）より前記分離竿（５，５ａ）に向かって垂下されてその紐端を前記分離竿（５，５ａ）に結合された一対の上部羽保持紐（１２，１２ａ）に多数の上部水平遮蔽羽（１３，１３ａ）を所望の傾きに調節可能に保持せしめ前記上部固定竿（４，４ａ）と前記分離竿（５，５ａ）間に上部遮蔽調節面（１，１ａ）を形成し、前記分離竿（５，５ａ）の下部に遮蔽竿（６，６ａ）を設け該遮蔽竿（６，６ａ）を前記分離竿（５，５ａ）あるいは該遮蔽竿（６，６ａ）自体のいずれか一方の側に設けられその一対の遮蔽竿保持紐（１６，１６ａ）を前記一方の側よりこれと相対する側の竿に向かって伸長されてその紐端を結合された遮蔽竿移動装置（１５，１５ａ）により所望の間隔に調節可能に保持せしめて眺望遮蔽調節面（２，２ａ）を形成し、前記遮蔽竿（６，６ａ）の下部に下部竿（７，７ａ）を設け該下部竿（７，７ａ）を前記上位の竿（４，４ａ，５，５ａ，６，６ａ）の一つあるいは該下部竿（７，７ａ）自体のいずれか一つの竿に設けられその一対の下部竿保持紐（１９，１９ａ）を前記上位の竿（４，４ａ，５，５ａ，６，６ａ）の一つと該下部竿（７，７ａ）との間に伸長されてその紐端を相対する側の竿に結合された下部竿移動装置（１８，１８ａ）により所望の間隔に調節可能に保持せしめると共に前記遮蔽竿（６，６ａ）に下部羽操作装置（２１，１５ａ）を設け該下部羽操作装置（２１，１５ａ）より前記下部竿（７，７ａ）に向かって垂下されてその紐端を前記下部竿（７，７ａ）に結合された一対の下部羽保持紐（２２，２２ａ）に多数の下部水平遮蔽羽（２３，２３ａ）を所望の傾きに調節可能に保持せしめ前記遮蔽竿（６，６ａ）と前記下部竿（７，７ａ）間に下部遮蔽調節面（３，３ａ）を形成したブラインド。
【請求項２】
下部竿移動装置（１８）が分離竿（５）あるいは下部竿（７）自体のいずれか一方の竿に設けられその一対の下部竿保持紐（１９）を前記一方の竿側より相対する側の竿に向かって伸長されてその紐端を結合されており、前記下部竿（７）が前記分離竿（５）対して所望の間隔に調節可能に保持されている第一項記載のブラインド。
【発明の詳細な説明】
【０００１】
【発明の属する技術分野】
本発明は、建物の窓部などに取り付けて部屋の内部と外部との遮蔽の調節をするのに広く用いられているブラインド、特に窓に面して一面上に上下方向に等間隔で配置された一定幅の多数の水平遮蔽羽（スラット）を備え、これらの多数の遮蔽羽を各々その水平軸線の周りに一斉に回動せしめてその傾きの方向（仰角度、府角度）とその強弱によって遮蔽機能の調節を行うようにした水平遮蔽羽の遮蔽調節面からなるブラインド、特に遮蔽調節面が上下に複数に分離されているブラインドに関する。
【０００２】
【従来の技術】
この種のブラインドに於ては、採光や眺望と部屋内部の目隠しという相反する課題を解決すべく、これまで多くの提案がなされてきた。ブラインドを上下に分離して独立して操作するもの、遮蔽羽の傾きを部分的に操作するもの、ブラインド面の上部や中間部を開けられるもの等がある。
【０００３】
【発明が解決しようとする課題】
この種のブラインドにおいては、遮蔽羽を希望する方向に傾けることで窓外の眺望を得ることが出来るが、ブラインド越しでは、細かい間隔の羽の線が眺望の目障りになる等の欠点がある。
さらに、窓際で外を見るにしても目の高さはそれぞれの人により、またその時の姿勢によって変わってくる。部屋内部の目隠しをするにしてもその望む位置とか範囲は時と場合により変わってくるものであり、これらの要求により一層細かく対応出来ることが望まれる。
【０００４】
また、従来の縦に複数に分離されている遮蔽調節面を有するブラインドでは、製作上、機能上、操作性の面等で充分でないものが多い。特に、上部竿から多くの竿紐や羽操作紐を垂下するものは製作や操作の面で煩わしいばかりでなく、外観的にも目障りである。さらに昇降紐の一部が緩んだり、紐が絡んだり、遮蔽羽の一部が不安定になるなどのトラブルの原因になり易い。
【０００５】
本発明の目的は、この種のブラインドにおける前述のような欠点に鑑み、採光や窓外の眺望と部屋の内部の目隠しという相反する機能が一面の装置内においてほぼ満足に達成することが出来るブラインドを提供するにある。
本発明の他の目的は、窓部におけるその高さ位置並びにその開き量の設定が簡単、且つ細かに出来る眺望遮蔽調節面を備えるブラインドを提供するにある。
本発明のさらに他の目的は、遮蔽羽面部分を過ぎる紐数が少なく、竿の操作順序の制約等がなく、竿保持紐の部分的な緩みなどの生じにくい操作のやり易いブラインドを提供するにある。
【０００６】
【課題を解決するための手段】
上記目的を達成するために、本発明のブラインドにおいては、上部固定竿の下部に分離竿を設け該分離竿を上部固定竿あるいは該分離竿自体のいずれか一方の側の竿に設けた分離竿移動装置により上部固定竿と所望の間隔に調節可能に保持し、上部固定竿に上部羽操作装置を設け該上部羽操作装置より分離竿に垂下され結合された上部羽保持紐により上部固定竿と分離竿の間に所望の傾きに調節可能に保持される多数の上部水平遮蔽羽を設けて上部遮蔽調節面を形成し、分離竿の下部に遮蔽竿を設け該遮蔽竿を分離竿あるいは該遮蔽竿自体のいずれか一方の側の竿に設けた遮蔽竿移動装置により分離竿と所望の間隔に調節可能に保持して眺望遮蔽調節面を形成し、遮蔽竿の下部に下部竿を設け該下部竿を前記上位の竿の一つあるいは該下部竿自体のいずれか一つの竿に設けた下部竿移動装置により遮蔽竿と所望の間隔に調節可能に保持し、遮蔽竿に下部羽操作装置を設け該下部羽操作装置より下部竿に垂下され結合された下部羽保持紐により遮蔽竿と下部竿の間に所望の傾きに調節可能に保持される多数の下部水平遮蔽羽を設けて下部遮蔽調節面を形成したものである。
【０００７】
また、下部竿移動装置を分離竿あるいは下部竿のいずれか一方の竿に設けその一対の下部竿保持紐を遮蔽竿の紐通し穴を貫通させて一方の竿側より相対する側の竿に向かって伸長してその紐端を結合し、該下部竿移動装置により下部竿を分離竿に対して所望の間隔に調節可能に保持するようにして、分離竿の位置と下部遮蔽調節面下端の設定範囲を保持した状態で眺望遮蔽調節面の開閉操作が行えるようにすることも出来る。
【０００８】
さらに、下部竿移動装置を遮蔽竿あるいは下部竿のいずれか一方の竿に設けその一対の下部竿保持紐を一方の竿側より相対する側の竿に向かって伸長してその紐端を結合し、該下部竿移動装置により下部竿を遮蔽竿対して所望の間隔に調節可能に保持するようにして、操作順序の制約なくどの遮蔽調節面からでもその範囲の設定操作が行えるようにすることも出来る。
【０００９】
【発明の実施の形態】
発明の実施の形態を実施例にもとずき図面を参照して説明する。
図１〜３において、窓枠の上部の壁に金具等を介して固定に取り付けられる上部固定竿４の下部に、分離竿５が所望の間隔で保持されている。上部固定竿４内には分離竿移動装置８が設けられており該分離竿移動装置８より左右一対の分離竿保持紐９が垂下されその紐端が分離竿５の上部に結合されている。分離竿移動装置８は従来より広く使用されているものと同様の機構からなっており、周知のように滑車紐１０を操作することにより分離竿保持紐９を動かして分離竿５を昇降させて調節し、その設定した位置に保持する。
上部固定竿４内には上部羽操作装置１１が設けられており、その上方側を該上部羽操作装置１１の軸部に掛けられて垂下された左右一対の上部羽保持紐１２の紐端が分離竿５の上部に結合されている。上部羽保持紐１２はラダーコードとも呼ばれ、多数の上部水平遮蔽羽１３を一定の間隔で保持する。該上部水平遮蔽羽１３には左右に周知の縦長の紐孔が空けてあり、分離竿保持紐９は該紐孔を通って分離竿５に伸びている。
上部羽操作装置１１は従来より広く使用されているものと同様の機構からなり、周知のように操作棒１４を回すことで上部羽保持紐１２を動かして上部水平遮蔽羽１３を所望の傾き（仰角度や府角度）に調節してその設定した傾きに保持する。このようにして上部固定竿４と、分離竿５間に上部遮蔽調節面１が形成される。
分離竿５の下部には遮蔽竿６が設けてある。該遮蔽竿６内には遮蔽竿移動装置１５が設けてあり、該遮蔽竿移動装置１５より上方へ左右一対の遮蔽竿保持紐１６が伸びてその紐端が分離竿５の下部に結合されている。該遮蔽竿移動装置１５は分離竿移動装置８同様の機構からなっており、滑車紐１７を操作することにより遮蔽竿保持紐１６を動かして遮蔽竿６を昇降させ分離竿５と遮蔽竿６間の開き量を調節してその設定された位置に保持する。このようにして分離竿５と遮蔽竿６間に眺望遮蔽調節面２が形成されている。
遮蔽竿６の下部に下部竿７が所望の間隔で保持されている。分離竿５内には下部竿移動装置１８が設けられており該下部竿移動装置１８より左右一対の下部竿保持紐１９が垂下され遮蔽竿６の紐孔を貫通して下方に伸びその紐端が下部竿７の上部に結合されている。下部竿移動装置１８は分離竿移動装置５同様の機構からなっており、滑車紐２０を操作することにより下部竿保持紐１９を動かして下部竿７を昇降させ、その設定位置に保持する。
遮蔽竿６内には下部羽操作装置２１が設けられており、その上端を該下部羽操作装置２１の軸部に掛けられて垂下された左右一対の下部羽保持紐２２の紐端が下部竿７に結合されている。下部羽保持紐２２には上部遮蔽調節面１同様に多数の下部水平遮蔽羽２３が一定の間隔で保持される。該下部水平遮蔽羽２３には上部水平遮蔽羽１３と同じように左右に縦長の紐孔が空けてあり、該紐孔を通って左右の下部竿保持紐１９が下部竿７に伸びている。
下部羽操作装置２１は上部羽操作装置１１同様の機構からなり操作棒２４を回すことで下部羽保持紐２２を動かして下部水平遮蔽羽２３を所望の傾きに調節してその設定した傾きに保持する。このようにして遮蔽竿６と下部竿７間に下部遮蔽調節面３が形成されている。
分離竿５の前方下部に、竿の全横幅にわたって下方に向かってわずかに突出する隙間カバー部２５が設けられている。該隙間カバー部２５は眺望遮蔽調節面を閉止した際に分離竿５と遮蔽竿６間の僅かな隙間を遮る働きをする。このような隙間カバー手段は分離竿と遮蔽竿の間に凸凹の噛合い部を設けることによって可能である。
【００１０】
図４〜６は本発明の実施形態を示す他の実施例である。ここでも前例と同じように、上部遮蔽調節面１ａと眺望遮蔽調節面２ａと下部遮蔽調節面３ａ三つの遮蔽調節面からなっている。分離竿５ａ内に分離竿移動装置８ａが設けてあり、該分離竿移動装置８ａより左右一対の分離竿保持紐９ａが上方へ伸びてその紐端が上部固定竿４ａの下部に結合されている。該分離竿移動装置８ａのモーター１０ａによって分離竿５ａが上部固定竿４ａに対して所望の間隔に調節され設定位置に保持される。上部固定竿４ａ内に設けられた上部羽操作装置１１ａから垂下され分離竿５ａに結合される左右一対の上部羽保持紐１２ａに多数の上部水平遮蔽羽１３ａが保持されており、モーター１４ａにより所望の傾きに設定される上部遮蔽調節面１ａが形成されている。
分離竿５ａの下部の遮蔽竿６ａ内に遮蔽竿移動装置１５ａが設けてあり、左右一対の遮蔽竿保持紐１６ａが上方へ伸びてその紐端が分離竿５ａの下部に結合されており、遮蔽竿移動装置１５ａのモーター１７ａによって開閉される眺望遮蔽調節面２ａが形成されている。
遮蔽竿６ａ下部の下部竿７ａ内に下部竿移動装置１８ａが設けてあり、左右一対の下部竿保持紐１９ａが上方へ伸びてその紐端が遮蔽竿６ａの下部に結合されている。該下部竿移動装置１８ａのモーター２０ａによってによって下部竿７ａが遮蔽竿６ａに対して所望の間隔に調節され設定位置に保持される。遮蔽竿６ａ内に設けられた遮蔽竿移動装置１５ａの横軸部には下部羽保持紐２２ａの上方側の掛かる操作腕部があり、下部羽操作装置としての機能も兼ねている。該遮蔽竿移動装置１５ａから垂下され下部竿７ａに結合される左右一対の下部羽保持紐２２ａには多数の下部水平遮蔽羽２３ａがモーター１７ａにより所望の傾きに設定されて保持され下部遮蔽調節面３ａが形成されている。
このように、各竿の移動装置の内部機構は前記の実施例と同様で移動操作の動力が滑車紐と滑車に代えて滑車軸部に結合されるモーターになっている
また、上部羽操作装置１１ａの操作動力も操作棒に代えて操作軸部に結合されるモーターになっている
これらの移動装置のモーター及び上部羽操作装置のモーターは正転、逆転の連続回転のほか細かな寸動(インチング)運転も出来るものが採用される。
各竿には制御基板３０が組み込まれ、送信機３１の操作信号を受ける受信部３２が設けられており、各竿の移動操作及び上下の水平遮蔽羽の傾きの操作は送信機３１を用いてリモコン操作により離れた位置から行えるようになっている。
昇降する竿の移動範囲や水平遮蔽羽の傾きの範囲等の設定は装置内部に組み込まれた各種のセンサーなどを利用して行うことが出来る。また、竿の外部に近接スイッチやマイクロスイッチ等の各種のセンサーを設置することも出来る。これらは従来より公知の技術を応用することにより容易に達成し得る。
そして各竿にはモーター及び制御用の電源となる交換自在の電池３３が装填されている。このように、この実施例では各竿毎にモーターの駆動と制御に必要な部品が組み込まれていることに特徴である。
【００１１】
各竿の移動手段並びに遮蔽羽の操作手段については、この実施例に示されるようなものがこれまで数多く実用化されているので、ここではその内部構造の詳細については省略した。本発明の実施にあたっては、これらの公知技術を広く適用し得る。
下部竿移動装置は下部竿自体はもとより上位のどの竿にも設け得る。下部竿をどの竿との間で移動せしめて間隔を保持するかについては限定されないが、一長一短があり実施にあたっての要点である。
上記の実施例では、説明を分かり易くするために各竿の保持紐は上下の羽保持紐と離れた位置に示しでいるが、実施にあたっては通常のように同一線上に置かれる。
【００１２】
【発明の効果】
本発明では、分離竿と遮蔽竿が上下の遮蔽調節面の間にあり、分離竿を目線の位置など所望の位置に置き、遮蔽竿移動装置を操作して眺望遮蔽調節面の開閉を行うことが容易である。
これにより、例えば上位からの採光４０で部屋の明るさを保ちながら下位の必要な部分の目隠し４１と眺望４２、４３の機能を併せ持ち、しかも下位おける目隠しあるいは眺望を望む部位の範囲の設定が自由におこなえるブラインドが得られる。
分離竿移動装置により分離竿を移動させるだけで、眺望遮蔽調節面を閉じたままあるいは開いたままの状態で所望の高さ位置に自由に移動させることが出来るので、移動のたびに開き量の調節等をする必要もなく操作が簡単である。
眺望遮蔽調節面を構成する分離竿と遮蔽竿が遮蔽竿保持紐で連結されているので両竿の間隔のより細かな設定が出来るばかりでなく、間隔の保持が安定であり、閉じたときにはしっかりと一体化出来る。従って、風などに対してもブラインド面全体が安定である。
各々独立の竿移動装置並びに遮蔽羽操作装置を備える上部遮蔽調節面と下部遮蔽調節面が独立の遮蔽竿移動装置を備える眺望遮蔽調節面を間にして上下に連結されており、各遮蔽調節面を過ぎる竿紐を最小限に押さえることが出来ので、全体にすっきりしたブラインド面が得られると共に、操作が間違いにくく扱いやすい。
【図面の簡単な説明】
【図１】実施例を示すブラインドの正面図である。
【図２】図１のブラインドの右側面図である。
【図３】図２におけるＡ部の拡大図である。
【図４】他の実施例を示すブラインドの正面図である。
【図５】図４のブラインドの右側面図である。
【符号の説明】
１、1a 上部遮蔽調節面
２、2a 眺望隙間調節面
３、3a 下部遮蔽調節面
４、4a 上部固定竿
５、5a 分離竿
６、6a 遮蔽竿
７、7a 下部竿
８、8a 分離竿移動装置
９、9a 分離竿保持紐
11、11a 上部羽操作装置
13、13a 上部水平遮蔽羽
15、15a 遮蔽竿移動装置
16、16a 遮蔽竿保持紐
18、18a 下部竿移動装置
19、19a 下部竿保持紐
21 下部羽操作装置
23、23a 下部水平遮蔽羽
25 隙間カバー部
【図１】
2005350851.tif 000003
【図２】
2005350851.tif 000004
【図３】
2005350851.tif 000005
【図４】
2005350851.tif 000006
【図５】
2005350851.tif 000007